【手続補正書】
【提出日】平成19年9月12日(2007.9.12)
【手続補正１】
【補正対象書類名】明細書
【補正対象項目名】発明の名称
【補正方法】変更
【補正の内容】
【発明の名称】プリンタ、プリントシステム、プリント方法、画像データ処理装置および方法
【手続補正２】
【補正対象書類名】明細書
【補正対象項目名】特許請求の範囲
【補正方法】変更
【補正の内容】
【特許請求の範囲】
【請求項１】  プリント手段によりプリント剤を付与してプリント媒体に画像をプリントするプリンタであって、
前記プリント媒体の縁部の一部または全部に余白を設けずにプリントを実行する場合に、前記縁部へのプリント剤の付与量を低減させるための処理を行う低減手段を具えたことを特徴とするプリンタ。
【請求項２】  前記低減手段は、前記縁部に対応する画像データの加工を行うことで、前記プリント剤の付与量を低減させることを特徴とする請求項１に記載のプリンタ。
【請求項３】  前記低減手段は、前記縁部のプリントを行う際に前記プリント手段に与える駆動信号のエネルギを低減することで、前記プリント剤の付与量を低減させることを特徴とする請求項１に記載のプリンタ。
【請求項４】  前記低減手段は、前記縁部に対応する画像データをマスクパターンに従って間引くことで、前記プリント剤の付与量を低減させることを特徴とする請求項１に記載のプリンタ。
【請求項５】  前記低減手段は、前記縁部ないしこれに沿った所定範囲の領域において、前記縁部に向かって前記プリント剤の付与量を漸減させることを特徴とする請求項１ないし４のいずれかに記載のプリンタ。
【請求項６】  プリント手段によりプリント剤を付与してプリント媒体に画像をプリントするためのプリンタに対して供給する画像データを処理するための画像処理装置であって、
前記プリント媒体の縁部の一部または全部に余白を設けずにプリントを行う余白無しプリントモードが設定されたか否かを判定する判定手段と、
前記判定手段により前記余白無しプリントモードが設定されたと判定された場合、前記縁部へのプリント剤の付与量を低減させるように前記画像データを処理するための低減手段と、
を具えたことを特徴とする画像処理装置。
【請求項７】  プリント手段によりプリント剤を付与してプリント媒体に画像をプリントするためのプリンタと、前記プリンタに対して画像データを供給する画像データ供給装置とを含むプリントシステムであって、
前記プリント媒体の縁部の一部または全部に余白を設けずにプリントを行う余白無しプリントモードが設定されたか否かを判定する判定手段と、
前記判定手段により前記余白無しプリントモードが設定されたと判定された場合、前記縁部へのプリント剤の付与量を低減させるように前記画像データを処理するための低減手段と、
を具えたことを特徴とするプリントシステム。
【請求項８】  プリント手段によりプリント剤を付与してプリンタ媒体に画像をプリントするプリント方法であって、
前記プリント媒体の縁部の一部または全部に余白を設けずにプリントを実行する場合に、前記縁部へのプリント剤の付与量を低減させるための処理を行うことを特徴とするプリント方法。
【請求項９】  プリント手段によりプリント剤を付与してプリント媒体に画像をプリントするためのプリンタに対して供給する画像データを処理するための画像処理方法であって、
前記プリント媒体の縁部の一部または全部に余白を設けずにプリントを行う余白無しプリントモードが設定されたか否かを判定する判定工程と、
前記判定工程において前記余白無しプリントモードが設定されたと判定された場合、前記縁部へのプリント剤の付与量を低減させるように前記画像データを処理するための低減工程と、
を具えたことを特徴とする画像処理方法。
【手続補正３】
【補正対象書類名】明細書
【補正対象項目名】０００１
【補正方法】変更
【補正の内容】
【０００１】
【発明の属する技術分野】
本発明は、プリンタに関し、特にインクジェット方式によるプリンタに関するものである。また、本発明は、プリンタに対して供給する画像データを処理する画像処理装置および方法、並びに、プリンタを一体にまたは別体に有する複写機，ファクシミリ，ワードプロセッサ，デジタルカメラ等のプリントシステムおよびプリント方法に関するものである。
【手続補正４】
【補正対象書類名】明細書
【補正対象項目名】０００６
【補正方法】変更
【補正の内容】
【０００６】
【課題を解決するための手段】
本発明は、これらを解決するためになされたもので、プリント手段によりプリント剤を付与してプリンタト媒体に画像をプリントするプリンタであって、
前記プリント媒体の縁部の一部または全部に余白を設けずにプリントを実行する場合に、前記縁部へのプリント剤の付与量を低減させるための処理を行う低減手段を具えたことを特徴とする。
【手続補正５】
【補正対象書類名】明細書
【補正対象項目名】０００７
【補正方法】変更
【補正の内容】
【０００７】
また、本発明は、プリント手段によりプリント剤を付与してプリント媒体に画像をプリントするためのプリンタに対して供給する画像データを処理するための画像処理装置であって、
前記プリント媒体の縁部の一部または全部に余白を設けずにプリントを行う余白無しプリントモードが設定されたか否かを判定する判定手段と、
前記判定手段により前記余白無しプリントモードが設定されたと判定された場合、前記縁部へのプリント剤の付与量を低減させるように前記画像データを処理するための低減手段と、
を具えたことを特徴とする。
【手続補正６】
【補正対象書類名】明細書
【補正対象項目名】０００８
【補正方法】変更
【補正の内容】
【０００８】
さらに、本発明は、プリント手段によりプリント剤を付与してプリント媒体に画像をプリントするためのプリンタと、前記プリンタに対して画像データを供給する画像データ供給装置とを含むプリントシステムであって、
前記プリント媒体の縁部の一部または全部に余白を設けずにプリントを行う余白無しプリントモードが設定されたか否かを判定する判定手段と、
前記判定手段により前記余白無しプリントモードが設定されたと判定された場合、前記縁部へのプリント剤の付与量を低減させるように前記画像データを処理するための低減手段と、
を具えたことを特徴とする。
【手続補正７】
【補正対象書類名】明細書
【補正対象項目名】０００９
【補正方法】変更
【補正の内容】
【０００９】
加えて、本発明は、プリント手段によりプリント剤を付与してプリンタ媒体に画像をプリントするプリント方法であって、
前記プリント媒体の縁部の一部または全部に余白を設けずにプリントを実行する場合に、前記縁部へのプリント剤の付与量を低減させるための処理を行うことを特徴とする。
【手続補正８】
【補正対象書類名】明細書
【補正対象項目名】００１０
【補正方法】変更
【補正の内容】
【００１０】
さらに加えて、本発明は、プリント手段によりプリント剤を付与してプリント媒体に画像をプリントするためのプリンタに対して供給する画像データを処理するための画像処理方法であって、
前記プリント媒体の縁部の一部または全部に余白を設けずにプリントを行う余白無しプリントモードが設定されたか否かを判定する判定工程と、
前記判定工程において前記余白無しプリントモードが設定されたと判定された場合、前記縁部へのプリント剤の付与量を低減させるように前記画像データを処理するための低減工程と、
を具えたことを特徴とする。
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】